(57)【特許請求の範囲】
【請求項１】
被焼成食材を収容するための円筒状の網容器と、該網容器を回転自在に載せるための載置架台と、該載置架台に載せられている前記網容器を回転駆動させるために当該載置架台に備えた駆動源と、前記網容器内の被焼成食材を焼くために前記載置架台に備えた熱源とを有する回転式網焼き装置であって、前記網容器の内周壁面に等間隔ごとに長手方向に沿って突設した複数の内羽根と、該内羽根それぞれに対して任意の角度だけ位相をずらして対向配置すべく前記網容器と同期回転してなる矢羽根回転構成体に設けた矢羽根とを備えたことを特徴とする回転式網焼き装置。
【請求項２】
矢羽根回転構成体は、円板状の蓋部と、該蓋部の片面中心から突設した回転中心軸と、該回転中心軸から放射状に突設した前記矢羽根とを備えてなり、前記網容器の一端開口部に形成されているフランジ部側から当該網容器内に被焼成食材を収容し、さらに矢羽根を有する回転中心軸がフランジ部側から当該網容器内に挿入され、当該フランジ部側の開口部を前記蓋部によって閉塞固定されるものとした請求項１記載の回転式網焼き装置。
【請求項３】
前記フランジ部は、前記載置架台の上部側壁面に装備した一対のプーリー体に跨って載架され、該プーリー体は前記駆動源とエンドレスチェーンによって連繋されてなる請求項２記載の回転式網焼き装置。
【発明の詳細な説明】
【技術分野】
【０００１】
本発明は、円筒状の網容器内に例えば鶏肉等の被焼成食材を投入して回転させながら焼くための回転式網焼き装置に関する。
【背景技術】
【０００２】
従来、燃焼した炭火の上に焼き網を配置し、この上に被焼成食材として例えば串刺しした鶏肉を載せておき、焼け具合により反転させながら焼く方法が採られていた。この場合、作業者が鶏肉に焼け具合を見ながら１串ごとに反転する作業が必要であり、したがって１度に多量の肉類の焼き上げ作業を行なうことは困難であった。このため、近年においては、円筒状の網容器内に多量の被焼成食材を投入して回転させながら炭火で焼く回転式網焼き装置を使用した方式が採られている。
【０００３】
上記の回転式網焼き装置としては、例えば特許文献１に開示されているように、上面を開口し周囲を閉鎖させた周囲壁内に配置され当該周囲壁に横方向を軸方向として回転自在に支持され、また周面全体にわたり多数の小孔が穿孔されて成る中空回転ドラムと、該中空回転ドラムの下方位置に設置された加熱部とを有している。そして、中空回転ドラムの
内部に焼かれるべき多量の肉類等が投入され、中空回転ドラムの回転軸一端に設けられた手動操作ハンドルによてドラム自体を回転させながら、上記加熱部の火力によって肉類等が焼かれるものとなっている。
【先行技術文献】
【特許文献】
【０００４】
【特許文献１】特許第３０７４０８２号公報
【発明の概要】
【発明が解決しようとする課題】
【０００５】
しかしながら、上記した特許文献１の場合、中空回転ドラム内部の被焼成食材である多量の肉類等はドラム自体の回転に伴って回転方向へ上昇させられるのであるが、ある程度の僅かな回転角度（例えば回転角度が約２０度前後程度）に達したときに、被焼成食材はドラム内壁に沿って転がることなくそのままの姿勢及び相互配置で滑り落ちてくる。したがって、多量の被焼成食材は相互の位置も変わらず、しかも天地返しになることも殆どないのであって、被焼成食材に対する焼きムラの解消には至っていないのである。
【０００６】
そこで、図６に示すように、中空回転ドラム１００の内側周壁面に９０度等間隔ごとに、回転軸方向に沿った帯板状の邪魔板として機能する例えば「内羽根１０１Ａ，１０１Ｂ，１０１Ｃ，１０１Ｄ」を付設することで、中空回転ドラム１００の回転中の被焼成食材である肉類等の滑り落ちを阻止し、且つ当該肉類等の天地返しも可能ならしめるものとすることができる。
【０００７】
ただ、内羽根１０１Ａより肉類等が落下する際には、これに隣接した内羽根１０１Ｄが位置する内側周壁面に落下するため、網焼きの有効面積が狭いままの状態となり、中空回転ドラム１００の「内羽根１０１Ａ〜１０１Ｄ」全てにわたる内周壁面全体を有効に活用できていないのが実状である。
【０００８】
そこで、本発明は叙上のような従来存した諸事情に鑑み創出されたもので、円筒状の網容器内に例えば鶏肉等の被焼成食材を投入して回転させながら焼成作業を行う際において、当該被焼成食材に対し焼きムラを生させずに均一に焼成させることを可能にすると同時に網焼きの有効面積を広くすることができる回転式網焼き装置を提供することを目的とする。
【課題を解決するための手段】
【０００９】
上述した課題を解決するために、本発明にあっては、被焼成食材を収容するための円筒状の網容器と、該網容器を回転自在に載せるための載置架台と、該載置架台に載せられている前記網容器を回転駆動させるために当該載置架台に備えた駆動源と、前記網容器内の被焼成食材を焼くために前記載置架台に備えた熱源とを有する回転式網焼き装置であって、前記網容器の内周壁面に等間隔ごとに長手方向に沿って突設した複数の内羽根と、該内羽根それぞれに対して任意の角度だけ位相をずらして対向配置すべく前記網容器と同期回転してなる矢羽根回転構成体に設けた矢羽根とを備えたことを特徴とする。
【００１０】
矢羽根回転構成体は、円板状の蓋部と、該蓋部の片面中心から突設した回転中心軸と、該回転中心軸から放射状に突設した前記矢羽根とを備えてなり、前記網容器の一端開口部に形成されているフランジ部側から当該網容器内に被焼成食材を収容し、さらに矢羽根を有する回転中心軸がフランジ部側から当該網容器内に挿入され、当該フランジ部側の開口部を前記蓋部によって閉塞固定されるものとした。
【００１１】
前記フランジ部は、前記載置架台の上部側壁面に装備した一対のプーリー体に跨って載架され、該プーリー体は前記駆動源とエンドレスチェーンによって連繋されてなるものとした。
【発明の効果】
【００１２】
本発明によれば、円筒状の網容器内に例えば鶏肉等の被焼成食材を投入して回転させながら焼成作業を行う際において、当該被焼成食材に対し焼きムラを生させずに均一に焼成させることを可能にした。
【００１３】
すなわち、網容器に同期して回転する矢羽根回転構成体が設置されているところで、網容器の円筒内側に設置されている内羽根に対して矢羽根が所定の角度を付与している（位相ズレ）ことで、回転ごとに被焼成食材（肉類等）が移動しながら、網容器の内側周壁面に均等に散らばることができる。しかも、矢羽根にも熱が蓄積するため、矢羽根上の被焼成食材（肉類等）の加熱焼成が図られる。これにより被焼成食材に対し焼きムラが生じないものとなり、焼成作業の能率向上を図ることができる。
【００１４】
また、網容器内壁の内羽根に乗せられている被焼成食材は、網容器の回転に伴って一旦中央の矢羽根に乗せられ、当該矢羽根が網容器（内羽根）と共に略４５度だけ同軸同期回転することで、略１８０度反対側の矢羽根に乗せられている被焼成食材は網容器内壁における略１８０度反対側の遠隔位置の内羽根相互間に落下させる。このため、網焼きの有効面積を大きくすることができる。
【００１５】
矢羽根回転構成体は、円板状の蓋部と、該蓋部の片面中心から突設した回転中心軸と、該回転中心軸から放射状に突設した前記矢羽根とを備えてなり、前記網容器の一端開口部に形成されているフランジ部側から当該網容器内に被焼成食材を収容し、さらに矢羽根を有する回転中心軸がフランジ部側から当該網容器内に挿入され、当該フランジ部側の開口部を前記蓋部によって閉塞固定されるので、このように矢羽根回転構成体を網容器に対して着脱自在に取付けられた構成とすることにより、矢羽根回転構成体及び網容器の洗浄やメンテナンスが簡単で短時間に行なえる。
【００１６】
前記フランジ部は、前記載置架台の上部側壁面に装備した一対のプーリー体に跨って載架され、該プーリー体は前記駆動源とエンドレスチェーンによって連繋されてなるので、駆動源の回転駆動によるエンドレスチェーンを介してのプーリー体の回転により、フランジ部を網容器と共に容易に回転させることができる。
【図面の簡単な説明】
【００１７】
【図１】本発明を実施するための一形態における回転式網焼き装置を正面側から視た斜視図である。
【図２】同じく回転式網焼き装置を側方から視た側面説明図である。
【図３】熱源であるガス管の配置状態を示す拡大斜視図である。
【図４】網容器から矢羽根回転構成体を分離した状態の分解斜視図である。
【図５】回転式網焼き装置を使用しての焼成工程の一例を示すもので、（ａ）は被焼成食材が網容器の内羽根から矢羽根に乗り移る状態を概念的に示す図、（ｂ）は網容器と矢羽根が４５度同期回転して、矢羽根に乗せられている被焼成食材が網容器の内羽根相互間に落下する状態を概念的に示す図である。
【図６】従来の中空回転ドラムを示すもので、内羽根に乗せられている被焼成食材が内羽根相互間に落下する状態を概念的に示す図である。
【発明を実施するための形態】
【００１８】
以下、図面を参照して本発明の実施の一形態を詳細に説明する。
【００１９】
本実施形態における回転式網焼き装置は、図１乃至図４に示すように、被焼成食材Ｐとして例えば肉類等を収容するための金属製網材を円筒状に成形してなる網容器１０と、該網容器１０に対し着脱自在となって装着される矢羽根回転構成体３０と、該網容器１０を回転自在に載せるための下部に４本の脚部を有し且つ上部が開口した矩形周壁面によって形成された載置架台２０と、該載置架台２０に載せられている前記網容器１０を回転駆動させるために当該載置架台２０の下部側に備えた例えば高トルク出力用モータ等の駆動源２３と、前記網容器１０内の被焼成食材Ｐを焼くために前記載置架台２０の上部側に備えた熱源２５とから概ね構成されている。
【００２０】
図４に示すように、前記網容器１０の内側周壁面には、例えば帯板状の４個の内羽根１１Ａ，１１Ｂ，１１Ｃ，１１Ｄが互いに９０度の間隔をもって長手方向（円筒軸方向）に沿って突設してある。
【００２１】
また、前記網容器１０の両端開口部側には、当該網容器１０の外径よりも大きなフランジ部１０Ａ，１０Ｂが付設されており、一方のフランジ部１０Ａの中央には網容器１０の内部に通じる一端開口部となっている。
【００２２】
そして、他方のフランジ部１０Ｂを設けている網容器１０の開口端側は閉塞され、その中央には、後述する矢羽根１４Ａ，１４Ｂ，１４Ｃ，１４Ｄの回転中心軸１３Ａの先端を支持するための軸受孔１０Ｃを設けてある。
【００２３】
一方のフランジ部１０Ａの外側面の１８０度対称位置には、ボルト形状の突起１２Ａ，１２Ｂが植設されており、後述する矢羽根回転構成体３０の蓋部１３によって網容器１０の一端開口部側を閉塞しつつ当該蓋部１３を前記突起１２Ａ，１２Ｂを介して前記一方のフランジ部１０Ａに固定するものとしてある。
【００２４】
前記矢羽根回転構成体３０は、円板状の蓋部１３との片面中心から長手の回転中心軸１３Ａが突設され、該回転中心軸１３Ａには例えば帯板状の４個の矢羽根１４Ａ，１４Ｂ，１４Ｃ，１４Ｄが互いに９０度の間隔をもって放射状に突設してある。
【００２５】
また、前記網容器１０の一端開口部に形成されている一方のフランジ部１０Ａ側から当該網容器１０内に被焼成食材Ｐを収容した後に、さらに矢羽根１４Ａ，１４Ｂ，１４Ｃ，１４Ｄを有する回転中心軸１３Ａが一方のフランジ部１０Ａ側の一端開口部側から当該網容器１０内に挿入される。このとき、前記他方のフランジ部１０Ｂ側の閉塞部中央の軸受孔１０Ｃによって回転中心軸１３Ａの先端が支持されると同時に、前記網容器１０の各内羽根１１Ａ，１１Ｂ，１１Ｃ，１１Ｄそれぞれに対して前記矢羽根回転構成体３０の各矢羽根１４Ａ，１４Ｂ，１４Ｃ，１４Ｄが任意の角度だけ位相をずらして対向配置されるものとしてある。
【００２６】
具体的には、図５（ａ）及び図５（ｂ）に示すように、網容器１０の内羽根１１Ａ，１１Ｂ，１１Ｃ，１１Ｄ相互間の各内壁面中間に、矢羽根回転構成体３０の矢羽根１４Ａ，１４Ｂ，１４Ｃ，１４Ｄそれぞれの各先端が対向するように配置される。
【００２７】
また、前記蓋部１３縁部の１８０度対称位置には、外先端中央にＵ溝を備えた突片部１５Ａ，１５Ｂを設けてあり、当該一方のフランジ部１０Ａ側の一端開口部を前記蓋部１３によって閉塞し、突片部１５Ａ，１５ＢのＵ溝に前記突起１２Ａ，１２Ｂを嵌合させ、反対側からナット部材等の締結部材１６Ａ，１６Ｂを前記突起１２Ａ，１２Ｂにねじ込ませることで当該蓋部１３は固定されるものとしてある。
【００２８】
図１及び図２に示すように、前記載置架台２０の上部側の相対向する一方の壁面には、一対の軸孔２９が設けられ、各軸孔２９に車軸３１が回転自在に装着され、当該車軸３１の両端には、プーリー体２１Ａ，２１Ｂが固着されている。また、前記載置架台２０の相対向する他方の壁面には、一対の軸孔２９（図示せず）が設けられ、各軸孔２９に車軸３１（図示せず）が回転自在に装着され、当該車軸３１の両端には、プーリー体２１Ｃ（図示せず），２１Ｄが固着されている。
【００２９】
前記網容器１０の両端開口部に各形成されているフランジ部１０Ａ，１０Ｂのうち、一方のフランジ部１０Ａは、載置架台２０の上部側の一方の壁面で隣接する上記したプーリー体２１Ａ，２１Ｃに跨って載架されている。また、他方のフランジ部１０Ｂは、載置架台２０の上部側の他方の壁面で隣接する上記したプーリー体２１Ｂ，２１Ｄに跨って載架されている。
【００３０】
そして、載置架台２０の上部側の一方の壁面で隣接するプーリー体２１Ｂ，２１Ｄの各側面において当該プーリー体２１Ｂ，２１Ｄよりも小径で且つ同軸となって付設されているスプロケットと、前記駆動源２３の出力ギア２３Ａとがエンドレスチェーン２４によって連繋されている。なお、図中の符号２２は、エンドレスチェーン２４に所定の張力を付与するためのテンションギアである。
【００３１】
図１、図２及び図３に示すように、前記載置架台２０の上部開口側には、例えばループ配管状のガスバーナ管等による熱源２５が配されており、開閉用コック２６のダイヤル２６Ａの開成操作によってホース２７からガスバーナ管（熱源）にガスが導入されるものとなっている。なお、図中の符号２８は、駆動源２３のＯＮ／ＯＦＦ用のボタン式スイッチである。
【００３２】
以上説明したように、本実施形態においては、網容器１０の内羽根１１Ａ，１１Ｂ，１１Ｃ，１１Ｄ、及び、矢羽根回転構成体３０の矢羽根１４Ａ，１４Ｂ，１４Ｃ，１４Ｄは各４枚としているが、これに限らず、網容器１０の５枚以上の内羽根１１Ａ，１１Ｂ，１１Ｃ，１１Ｄ…相互間の各内壁面中間に、矢羽根回転構成体３０の５枚以上の矢羽根１４Ａ，１４Ｂ，１４Ｃ，１４Ｄ…それぞれの各先端が対向していても良い。  
【００３３】
次に、以上のように構成された形態についての使用の一例について説明する。なお、図１及び図２に示すように、予め網容器１０の一方のフランジ部１０Ａは、載置架台２０の上部側の一方の壁面で隣接するプーリー体２１Ａ，２１Ｃに跨って載架され、他方のフランジ部１０Ｂは、載置架台２０の上部側の他方の壁面で隣接するプーリー体２１Ｂ，２１Ｄに跨って載架されているものとする。
【００３４】
先ず、図４に示すように、突起１２Ａ，１２Ｂから締結部材１６Ａ，１６Ｂを外して、網容器１０の一方のフランジ部１０Ａ側の一端開口部を塞いでいる蓋部１３を取外す。そして、この開口部から当該網容器１０内に肉類等の被焼成食材Ｐを収容し、再度蓋部１３で前記開口部を閉塞し締結部材１６Ａ，１６Ｂによって固定する。
【００３５】
このとき、矢羽根１４Ａ，１４Ｂ，１４Ｃ，１４Ｄを有する回転中心軸１３Ａが網容器１０内に挿入された際には、他方のフランジ部１０Ｂ側の閉塞部中央の軸受孔１０Ｃによってこの回転中心軸１３Ａの先端が支持されると同時に、網容器１０の各内羽根１１Ａ，１１Ｂ，１１Ｃ，１１Ｄそれぞれに対して矢羽根回転構成体３０の各矢羽根１４Ａ，１４Ｂ，１４Ｃ，１４Ｄが任意の角度だけ位相をずらして対向配置される。
【００３６】
次いで、開閉用コック２６のダイヤル２６Ａを開成してホース２７からガスバーナ管である熱源２５にガスを導入し、着火する。これと同時に、駆動源２３のＯＮ／ＯＦＦ用のボタン式スイッチ２８をＯＮにして駆動源２３を作動させる。すると、各プーリー体２１Ａ，２１Ｂ，２１Ｃ，２１Ｄ及びフランジ部１０Ａ，１０Ｂを介して網容器１０は回転すると同時に網容器１０内部の被焼成食材Ｐは焼成される。
【００３７】
このとき、図５（ａ）に示すように、網容器１０内壁の例えば右斜上に位置する内羽根１１Ａに乗せられている被焼成食材Ｐは、網容器１０の回転に伴って一旦中央の右側水平に位置する矢羽根１４Ａに乗せられる。
【００３８】
次いで、図５（ｂ）に示すように、上記矢羽根１４Ａ，１４Ｂ，１４Ｃ，１４Ｄが網容器１０の内羽根１１Ａ，１１Ｂ，１１Ｃ，１１Ｄと共に反時計廻りに略４５度だけ同期回転することで、上記矢羽根１４Ａに対して略１８０度反対側の矢羽根１４Ｃに乗せられている被焼成食材Ｐは網容器１０内壁における略１８０度反対側の内羽根１１Ｂ，１１Ｃ相互間に落下させられる。
【００３９】
このように網容器１０が順次４５度回転することで、矢羽根１４Ａの被焼成食材Ｐは矢羽根１４Ｂに移動して内羽根１１Ａと内羽根１１Ｂとの間の網容器１０内壁に落下させ、矢羽根１４Ｂの被焼成食材Ｐは矢羽根１４Ｃに移動して、内羽根１１Ｂと内羽根１１Ｃとの間の網容器１０内壁に落下させ、矢羽根１４Ｃの被焼成食材Ｐは矢羽根１４Ｄに移動して、内羽根１１Ｃと内羽根１１Ｄとの間の網容器１０内壁に落下させ、矢羽根１４Ｄの被焼成食材Ｐは矢羽根１４Ａに移動して、内羽根１１Ｄと内羽根１１Ａとの間の網容器１０内壁に落下させる。これにより、網焼きの有効面積を大きくすることができ、焼成作業の能率向上を図ることができる。
【符号の説明】
【００４０】
Ｐ…被焼成食材
１０…網容器
１１Ａ，１１Ｂ，１１Ｃ，１１Ｄ…内羽根
１４Ａ，１４Ｂ，１４Ｃ，１４Ｄ…矢羽根
２０…載置架台
２３…駆動源
２５…熱源
３０…矢羽根回転構成体
【要約】
【課題】被焼成食材に対し焼きムラを生させずに均一に焼成させることを可能にすると同時に網焼きの有効面積を広くすることができる回転式網焼き装置を提供する。
【解決手段】被焼成食材Ｐを収容するための円筒状の網容器１０と、該網容器１０を回転自在に載せるための載置架台２０と、該載置架台２０に載せられている前記網容器１０を回転駆動させるために当該載置架台２０に備えた駆動源２３と、前記網容器１０内の被焼成食材Ｐを焼くために前記載置架台２０に備えた熱源２５とを有し、さらに網容器１０の内周壁面に等間隔ごとに長手方向に沿って突設した複数の内羽根１１Ａ，１１Ｂ，１１Ｃ，１１Ｄと、該内羽根１１Ａ，１１Ｂ，１１Ｃ，１１Ｄそれぞれに対して任意の角度だけ位相をずらして対向配置すべく前記網容器１０と同期回転してなる矢羽根回転構成体３０に設けた矢羽根１４Ａ，１４Ｂ，１４Ｃ，１４Ｄとを備える。
【選択図】図４【図１】
0005893185.tif 000002
【図２】
0005893185.tif 000003
【図３】
0005893185.tif 000004
【図４】
0005893185.tif 000005
【図５】
0005893185.tif 000006
【図６】
0005893185.tif 000007